【手続補正書】
【提出日】平成19年10月10日(2007.10.10)
【手続補正１】
【補正対象書類名】特許請求の範囲
【補正対象項目名】全文
【補正方法】変更
【補正の内容】
【特許請求の範囲】
【請求項１】
オブジェクトの１つの特性を表す１つ以上の属性の画像を強調する方法であって、
複数の属性から、各々それ自身の複数の頂点を有する第１の属性および第２の属性を選定するステップと、
第１および第２の属性の少なくとも１つを用いて、それ自身の複数の頂点を有する法線マップを作成するステップと、
前記法線マップの前記複数の頂点および前記法線マップを作成するために使用された第１および第２の属性の前記少なくとも１つの前記複数の頂点を、接空間法線マップを表現する行列に変換するステップと、
前記接空間法線マップおよび前記法線マップを作成するために使用された第１および第２の属性の前記少なくとも１つから拡散ライティング成分を計算するステップと、
前記拡散ライティング成分ならびに第１および第２の属性のうちの前記少なくとも１つを環境ライティング成分と結合して、前記オブジェクトの少なくとも１つの特性を表現している強調された画像を作成するステップと
を含む、方法。
【請求項２】
第１の属性および第２の属性の前記少なくとも一方は２つ以上の属性の組合せよりなる、請求項１に記載された方法。
【請求項３】
前記２つ以上の属性の組合せは混成属性を形成する、請求項２に記載された方法。
【請求項４】
第１の属性は、振幅、周波数、位相、力、センブランス（semblance）、コヒーレンシー（coherency）、傾斜、方位角、勾配、液体因子、音響インピーダンス、速度、圧力、孔隙率、透水性、層序学および岩石学を含む２つ以上の属性のいずれかの組合せよりなり、第２の属性は、振幅、周波数、位相、力、センブランス、コヒーレンシー、傾斜、方位角、勾配、液体因子、音響インピーダンス、速度、圧力、孔隙率、透水性、層序学および岩石学のうちの少なくとも１つの属性よりなる、請求項２に記載された方法。
【請求項５】
前記環境ライティング成分および前記拡散ライティング成分は第１の属性と結合され、第２の属性は前記法線マップを作成するために使用される、請求項１に記載された方法。
【請求項６】
前記環境ライティング成分および前記拡散ライティング成分は第１の属性と結合され、第１の属性は前記法線マップを作成するために使用される、請求項１に記載された方法。
【請求項７】
さらに、
それ自身の複数の頂点を有する第３の属性を選定するステップと、
第１、第２および第３の属性のうちの少なくとも１つを用いて、それ自身の複数の頂点を有する別の法線マップを作成するステップと、
前記別の法線マップの複数の頂点および前記別の法線マップを作成するために使用された第１、第２および第３の属性のうちの前記少なくとも１つの複数の頂点を、別の接空間法線マップを表現する別の行列に変換するステップと、
前記別の接空間法線マップおよび前記別の法線マップを作成するために使用された第１、第２および第３の属性のうちの前記少なくとも１つから別の拡散ライティング成分を計算するステップと、
前記別の拡散ライティング成分ならびに第１、第２および第３の属性のうちの前記少なくとも１つを前記環境ライティング成分と結合して、前記オブジェクトの別の特性を表現している別の強調された画像を作成するステップと
を含む、請求項１に記載された方法。
【請求項８】
第３の属性は、前記環境ライティング成分、前記拡散ライティング成分および、第１および第２の属性の前記少なくとも１つの組合せよりなる、請求項７に記載された方法。
【請求項９】
前記別の法線マップは第１および第２の属性の前記少なくとも１つを用いて生成され、第３の属性は別の強調された画像を形成するために前記環境ライティング成分および前記別の拡散ライティング成分と結合される、請求項８に記載された方法。
【請求項１０】
前記別の法線マップは第３の属性を用いて生成され、第３の属性は前記別の強調された画像を形成するために前記環境ライティング成分および前記別の拡散ライティング成分と結合される、請求項８に記載された方法。
【請求項１１】
さらに、前記強調された画像の少なくとも一部をユーザに表示するステップを含む、請求項１に記載された方法。
【請求項１２】
表示される前記強調された画像は、プローブを定義する複数の平面表面の１つの少なくとも一部で表示される、請求項１１に記載された方法。
【請求項１３】
表示される前記強調された画像は、プローブを定義する複数の平面表面の内部で少なくとも部分的に表示される、請求項１１に記載された方法。
【請求項１４】
第１の属性および第２の属性は各々、複数のデータ値と、関連付けられた空間座標とからなり、各データ値は３次元空間座標を有する、請求項１に記載された方法。
【請求項１５】
前記法線マップは、各データ値についての垂直成分および水平成分のクロス積から導出される複数の摂動させた法線ベクトルよりなる、請求項１４に記載された方法。
【請求項１６】
前記法線マップの複数の頂点および前記法線マップを作成するために使用された第１および第２の属性の前記少なくとも１つの複数の頂点を、前記接空間法線マップを表現する前記行列に変換するために頂点プログラムが使用される、請求項１に記載された方法。
【請求項１７】
前記拡散ライティング成分および前記環境ライティング成分は各々、レジスタコンバイナを用いて計算される、請求項１に記載された方法。
【請求項１８】
前記環境ライティング成分、前記拡散ライティング成分および第１および第２の属性の前記少なくとも１つは、前記強調された画像を形成するために前記レジスタコンバイナを用いて結合される、請求項１７に記載された方法。
【請求項１９】
第１の属性および第２の属性は医学データよりなる、請求項１に記載された方法。
【請求項２０】
第１の属性および第２の属性は地震データよりなる、請求項１に記載された方法。
【請求項２１】
前記環境ライティング成分は所定の定数である、請求項１に記載された方法。
【請求項２２】
さらに、
前記接空間法線マップおよび前記法線マップを作成するために使用された第１および第２の属性の前記少なくとも１つから鏡面反射ライティング成分を計算するステップと、
前記強調された画像を形成するために前記鏡面反射ライティング成分、前記環境ライティング成分、前記拡散ライティング成分ならびに第１および第２の属性のうちの前記少なくとも１つを結合するステップとを含む、請求項１に記載された方法。
【請求項２３】
さらに、
仮想光源を前記強調された画像に適用するステップと、
前記強調された画像の一部をユーザに表示するステップと、
前記仮想光源および表示された前記強調された画像のうちの少なくとも一方を、ユーザに表示された前記強調された画像の視線に対して会話的に再配置するステップと、
請求項１における、接空間法線マップを表現する行列に変換する前記ステップ、拡散ライティング成分を計算する前記ステップ、および、強調された画像を作成する前記ステップを繰り返すステップと
を含む、請求項１に記載された方法。
【請求項２４】
オブジェクトの１つの特性を表現する１以上の属性の画像を強調する方法であって、
複数の属性から、それ自身の複数の頂点を有している１つの属性を選定するステップと、
前記属性を用いて、それ自身の複数の頂点を有している法線マップを作成するステップと、
法線マップの前記複数の頂点および前記属性の前記複数の頂点を、接空間法線マップを表現する行列に変換するステップと、
前記接空間法線マップおよび前記属性から拡散ライティング成分を計算するステップと、
前記拡散ライティング成分と前記属性を環境ライティング成分と結合して、前記オブジェクトの少なくとも１つの特性を表現している強調された画像を作成するステップと
を含む、方法。
【請求項２５】
オブジェクトの１つの特性を表現する複数の属性の画像を強調する方法であって、
複数の属性から、各々それ自身の複数の頂点を有する第１の属性および第２の属性を選定するステップと、
第１および第２の属性の少なくとも１つを用いて、それ自身の複数の頂点を有する法線マップを作成するステップと、
法線マップの前記複数の頂点および法線マップを作成するために使用された第１および第２の属性の前記少なくとも１つの前記複数の頂点を、接空間法線マップを表現する行列に変換するステップと、
前記接空間法線マップおよび前記法線マップを作成するために使用された第１および第２の属性の前記少なくとも１つから拡散ライティング成分を計算するステップと、
前記拡散ライティング成分ならびに前記第１および第２の属性を環境ライティング成分と結合して、前記第１および第２の属性の強調された画像を作成するステップと
前記強調された画像の少なくとも一部をユーザに表示するステップとを含み、
表示された前記強調された画像の前記一部は少なくとも第１の属性の一部および第２の属性の一部を備えている
方法。
【請求項２６】
前記第１の属性及び第２の属性は前記オブジェクトの地球物理学的特性を表現する、請求項２５に記載された方法。
【請求項２７】
オブジェクトの１つの特性を表現する１以上の属性の像を映像化するプログラムであって、
複数の属性から、各々それ自身の複数の頂点を有する第１の属性および第２の属性を選定するステップと、
第１および第２の属性の少なくとも１つから導出される、それ自身の複数の頂点を有する法線マップを作成するステップと、
法線マップの前記複数の頂点および法線マップを作成するために使用された第１および第２の属性の前記少なくとも１つの前記複数の頂点を、接空間法線マップを表現する行列に変換するステップと、
前記接空間法線マップおよび前記法線マップを作成するために使用された第１および第２の属性の前記少なくとも１つから拡散ライティング成分を計算するステップと、
前記拡散ライティング成分ならびに第１および第２の属性のうちの前記少なくとも１つを環境ライティング成分と結合して、前記オブジェクトの少なくとも１つの特性を表現している前記強調された画像を形成するステップと
をコンピュータに実行させるためのプログラム。
【請求項２８】
第１の属性および第２の属性の前記少なくとも１つは２以上の属性の組合せよりなる、請求項２７に記載されたプログラム。
【請求項２９】
前記２つ以上の属性の組合せは混成属性を形成する、請求項２８に記載されたプログラム。
【請求項３０】
第１の属性は、振幅、周波数、位相、力、センブランス、コヒーレンシー、傾斜、方位角、勾配、液体因子、音響インピーダンス、速度、圧力、孔隙率、透水性、層序学および岩石学を含む２つ以上の属性のいずれかの組合せよりなり、そして第２の属性は、振幅、周波数、位相、力、センブランス、コヒーレンシー、傾斜、方位角、勾配、液体因子、音響インピーダンス、速度、圧力、孔隙率、透水性、層序学および岩石学のうちの少なくとも１つの属性よりなる、請求項２８に記載されたプログラム。
【請求項３１】
前記環境ライティング成分および前記拡散ライティング成分は第１の属性と結合され、第２の属性は前記法線マップを作成するために使用される、請求項２７に記載されたプログラム。
【請求項３２】
前記環境ライティング成分および前記拡散ライティング成分は第１の属性と結合され、第１の属性は前記法線マップを作成するために使用される、請求項２７に記載されたプログラム。
【請求項３３】
さらに、
それ自身の複数の頂点を有する第３の属性を選定するステップと、
第１、第２および第３の属性のうちの少なくとも１つから導出される、それ自身の複数の頂点を有する別の法線マップを作成するステップと、
前記別の法線マップの複数の頂点および前記別の法線マップを作成するために使用された第１、第２および第３の属性のうちの前記少なくとも１つの前記複数の頂点を、別の接空間法線マップを表現する別の行列に変換するステップと、
前記別の接空間法線マップおよび前記別の法線マップを作成するために使用された第１、第２および第３の属性のうちの前記少なくとも１つから別の拡散ライティング成分を計算するステップと、
前記別の拡散ライティング成分ならびに第１、第２および第３の属性のうちの前記少なくとも１つを環境ライティング成分と結合して、前記オブジェクトの別の特性を表現している別の強調された画像を形成するステップと
をコンピュータに実行させるための、請求項２７に記載されたプログラム。
【請求項３４】
第３の属性は、環境ライティング成分、拡散ライティング成分および第１および第２の属性の前記少なくとも１つの組合せよりなる、請求項３３に記載されたプログラム。
【請求項３５】
前記別の法線マップは第１および第２の属性の前記少なくとも１つを用いて生成され、第３の属性は前記環境ライティング成分および前記別の拡散ライティング成分と結合されて、前記別の強調された画像を形成する、請求項３４に記載されたプログラム。
【請求項３６】
前記別の法線マップは第３の属性を用いて生成され、第３の属性は前記環境ライティング成分および前記別の拡散ライティング成分と結合されて、前記別の画像を形成する、請求項３４に記載されたプログラム。
【請求項３７】
さらに、前記強調された画像の少なくとも一部をモニタでユーザに表示するステップをコンピュータに実行させるための、請求項２７に記載されたプログラム。
【請求項３８】
第１の属性および第２の属性は各々、複数のデータ値および対応する空間座標よりなり、各データ値は３次元空間座標を有する、請求項２７に記載されたプログラム。
【請求項３９】
前記法線マップは、各データ値についての垂直成分および水平成分のクロス積から導出される複数の摂動させた法線ベクトルよりなる、請求項３８に記載されたプログラム。
【請求項４０】
第１の属性および第２の属性は医学データよりなる、請求項２７に記載されたプログラム。
【請求項４１】
第１の属性および第２の属性は地震データよりなる、請求項２７に記載されたプログラム。
【請求項４２】
前記環境ライティング成分は所定の定数である、請求項２７に記載されたプログラム。
【請求項４３】
さらに、
前記接空間法線マップおよび前記法線マップを作成するために使用された第１および第２の属性の前記少なくとも１つから鏡面反射ライティング成分を計算するステップと、
画像を形成するために前記鏡面反射ライティング成分、前記環境ライティング成分、拡散ライティング成分ならびに第１および第２の属性のうちの前記少なくとも１つを結合するステップと
をコンピュータに実行させるための、請求項２７に記載されたプログラム。
【請求項４４】
さらに、
仮想光源を前記強調された画像にあてるステップと、
前記強調された画像の一部をユーザに表示するステップと、
仮想光源および表示された前記強調された画像のうちの少なくとも一方をユーザに表示された前記強調された画像の視線に対して会話的に再配置するステップと、
請求項２７に記載された接空間法線マップを表現する行列に変換する前記ステップ、拡散ライティング成分を計算する前記ステップ、および、前記強調された画像を形成する前記ステップを繰り返すステップと
をコンピュータに実行させるための、請求項２７に記載されたプログラム。
【請求項４５】
オブジェクトの１つの特性を表現する複数の属性の像を強調するプログラムであって、
複数の属性から、それ自身の複数の頂点を有する１つの属性を選定するステップと、
前記属性から導出される、それ自身の複数の頂点を有する法線マップを作成するステップと、
前記法線マップの複数の頂点および前記属性の複数の頂点を、接空間法線マップを表現する行列に変換するステップと、
前記接空間法線マップおよび前記属性から拡散ライティング成分を計算するステップと、
環境ライティング成分を前記拡散ライティング成分および前記属性と結合して、前記オブジェクトの少なくとも１つの特性を表現している強調された画像を形成するステップと
をコンピュータに実行させるためのプログラム。
【請求項４６】
オブジェクトの１つの特性を表現する複数の属性の像を強調するためのプログラムであって、
複数の属性から、各々それ自身の複数の頂点を有する第１の属性および第２の属性を選定するステップと、
第１および第２の属性のうちの少なくとも１つから導出される、それ自身の複数の頂点を有する法線マップを作成するステップと、
前記法線マップの複数の頂点および前記法線マップを作成するために使用された第１および第２の属性の前記少なくとも１つの前記複数の頂点を、接空間法線マップを表現する行列に変換するステップと、
前記接空間法線マップおよび前記法線マップを作成するために使用された第１および第２の属性の前記少なくとも１つから拡散ライティング成分を計算するステップと、
前記拡散ライティング成分ならびに第１および第２の属性のうちの前記少なくとも１つを環境ライティング成分と結合して、前記第１および第２の属性の強調された画像を形成するステップと、
少なくとも第１の属性の一部および第２の属性の一部を備えている前記強調された画像の少なくとも一部をユーザに表示するステップと
をコンピュータに実行させるためプログラム。